(57)【要約】      （修正有）【課題】車椅子に乗ったユーザにとっての作業性を向上させることができる画像読取装置及び画像形成装置を提供する。【解決手段】画像読取ユニット１００は、原稿台２１、原稿対向板３１、ＡＤＦ３０、及びＣＣＤ２８を備える。原稿は、原稿台２１に載置され、又は、原稿対向板３１に対向するように搬送される。ＡＤＦ３０は、画像読取ユニット１００の斜め下方から視認可能なように水平方向に対して傾斜した状態に原稿を収容する原稿積載トレイ３２を画像読取ユニット１００の側部に有し、原稿対向板３１を経由するように原稿を搬送する。ＣＣＤ２８は、原稿台２１に載置された原稿に反射された光及び原稿対向板３１に対向した原稿に反射された光をそれぞれ光電変換する。【選択図】図１
2011091637.tif 000002
【特許請求の範囲】
【請求項１】
原稿に反射された光に基づいて画像データを生成する画像読取装置であって、
水平方向に配置され、原稿が載置される原稿台と、
搬送中の原稿が対向する原稿対向板と、
前記画像読取装置の斜め下方から視認可能なように水平方向に対して傾斜した状態に原稿を収容する原稿積載トレイを前記画像読取装置の側部に有し、前記原稿対向板を経由するように原稿を１枚ずつ搬送する原稿搬送装置と、
前記原稿台に載置された原稿に前記原稿台を通して光を照射する第１光源と、
前記原稿対向板に対向した原稿に前記原稿対向板を通して光を照射する第２光源と、
前記原稿台に載置された原稿に反射された光及び前記原稿対向板に対向した原稿に反射された光をそれぞれ光電変換する光電変換部と、
前記原稿台に載置された原稿に反射された光を前記光電変換部へ導く複数の反射部材を含む光学系ユニットと、
前記原稿対向板を経由後の原稿を収容する原稿排紙トレイと、を備える画像読取装置。
【請求項２】
前記原稿対向板は、鉛直方向に配置される請求項１に記載の画像読取装置。
【請求項３】
前記光学系ユニットは、前記原稿台に載置された原稿に反射された光を前記光電変換部へ向けて反射するとともに前記原稿対向板に対向した原稿に反射されて前記光電変換部へ向かう光を透過させるハーフミラーを含む請求項１又は２に記載の画像読取装置。
【請求項４】
前記光学系ユニットは、前記原稿台に載置された原稿に反射された光を前記光電変換部へ向けて反射する反射位置と前記原稿対向板に対向した原稿に反射されて前記光電変換部へ向かう光の光路を回避する回避位置と、に移動自在な可動型反射部材を含み、
前記原稿台に載置された原稿に反射された光を光電変換する第１読取モードの実行時には前記可動型反射部材を前記反射位置に配置し、前記原稿対向板に対向した原稿に反射された光を光電変換する第２読取モードの実行時には前記可動型反射部材を前記回避位置に配置する駆動源をさらに備える請求項１又は２に記載の画像読取装置。
【請求項５】
前記原稿排紙トレイは、前記原稿搬送装置の下方に配置され、前記原稿対向板を経由後の原稿を前記画像読取装置の側面に沿う方向に収容する請求項１から４のいずれかに記載の画像読取装置。
【請求項６】
請求項１から４のいずれかに記載の画像読取装置と、
前記画像読取装置において光電変換されて生成された画像データに基づいて用紙に画像形成処理を行う画像形成部であって前記画像読取装置の下方において前記画像読取装置と前記画像形成部との間に画像形成処理済みの用紙を収容する用紙排紙トレイを設けるための空間を形成するように前記画像読取装置を支持する支持部を有する画像形成部と、
前記画像形成部へ供給するための用紙を収容する給紙部と、
前記用紙排紙トレイに対して上下に重なるように配置され、前記原稿対向板を経由後の原稿を収容する原稿排紙トレイと、を備える画像形成装置。
【発明の詳細な説明】
【技術分野】
【０００１】
この発明は、原稿に反射された光に基づいて画像データを生成する画像読取装置及び画像形成装置に関する。
【背景技術】
【０００２】
画像読取装置の中には、原稿台上に載置された原稿に光を照射し、反射した光を光電変換して画像データを生成する静止原稿読取モードに加えて、原稿台の上に配置された自動原稿搬送装置の原稿積載トレイに原稿を収容し、自動原稿搬送装置によって原稿台上に１枚ずつ搬送される原稿の画像を読み取って画像データを生成する移動原稿読取モードを備えるものがある（例えば、特許文献１参照。）。いずれの読取モードにおいても、原稿が載置される位置即ち原稿台及び原稿積載トレイは、画像読取装置の上部において水平に配置される。生成した画像データにおける画像の欠けや傾き、原稿搬送路における原稿詰まり等の問題を防ぐためには、ユーザは、原稿を原稿台又は原稿積載トレイの所定位置に位置合わせして載置する必要がある。
【先行技術文献】
【特許文献】
【０００３】
【特許文献１】特開２００８−１５３８３７公報
【発明の概要】
【発明が解決しようとする課題】
【０００４】
しかし、車椅子に乗った身障者がユーザである場合、原稿台又は原稿積載トレイに載置された原稿がユーザの目線より高くなり、画像読取前の原稿の載置状態をユーザが確認できないことがある。
【０００５】
この発明の目的は、車椅子に乗ったユーザにとっての作業性を向上させることができる画像読取装置及び画像形成装置を提供することにある。
【課題を解決するための手段】
【０００６】
この発明の画像読取装置は、原稿に反射された光に基づいて画像データを生成する画像読取装置であって、原稿台、原稿対向板、原稿搬送装置、第１光源、第２光源、光電変換部、光学系ユニット、及び原稿排紙トレイを備える。原稿台は水平方向に配置される。原稿台には原稿が載置される。原稿対向板には搬送中の原稿が対向する。原稿搬送装置は、画像読取装置の斜め下方から視認可能なように水平方向に対して傾斜した状態に原稿を収容する原稿積載トレイを画像読取装置の側部に有し、原稿対向板を経由するように原稿を１枚ずつ搬送する。第１光源は、原稿台に載置された原稿に原稿台を通して光を照射する。第２光源は、原稿対向板に対向した原稿に原稿対向板を通して光を照射する。光電変換部は、原稿台に載置された原稿に反射された光及び原稿対向板に対向した原稿に反射された光をそれぞれ光電変換する。光学系ユニットは、原稿台に載置された原稿に反射された光を光電変換部へ導く複数の反射部材を含む。原稿排紙トレイは、原稿対向板を経由後の原稿を収容する。
【０００７】
この構成では、原稿台を用いて静止した原稿の画像を読み取る画像読取方法と原稿対向板を用いて搬送中の原稿の画像を読み取る画像読取方法との２通りの画像読取方法がある。原稿対向板を用いた画像読取方法では、原稿は、原稿積載トレイに収容され、原稿積載トレイから原稿対向板を経由して原稿排紙トレイへ向かうように１枚ずつ搬送され、原稿対向板との対向位置で光を照射されて画像を読み取られる。原稿積載トレイは画像読取装置の側部に配置され、原稿は原稿積載トレイに、画像読取装置の斜め下方から視認可能なように水平方向に対して傾斜した状態で収容される。原稿の収容位置が画像読取装置の側部であるため、車椅子に乗ったユーザであっても手が届きやすく原稿が容易に載置される。また、原稿が画像読取装置の斜め下方から視認可能なように水平方向に対して傾斜した状態で収容されるので、車椅子に乗ったユーザ即ち低い位置にいるユーザであっても、原稿の載置状態を画像読取装置の斜め下方から容易に確認可能である。
【０００８】
上述の構成において、原稿対向板は、鉛直方向に配置することが好ましい。原稿対向板を鉛直方向に配置することで、原稿台を用いた画像読取方法と原稿対向板を用いた画像読取方法とで光電変換部を兼用することが容易となる。このため、画像読取装置の製造コスト及び占有スペースが抑制される。
【０００９】
また、光学系ユニットは、原稿台に載置された原稿に反射された光を光電変換部へ導くように反射するとともに原稿対向板に対向した原稿に反射されて光電変換部へ向かう光を透過させるハーフミラーを含むように構成することができる。ハーフミラーを用いることで、原稿台を用いた画像読取方法と原稿対向板を用いた画像読取方法との２通りの画像読取方法について、光路のためのスペースが兼用可能となる。このため、画像読取装置の小型化を図ることができる。
【００１０】
さらに、光学系ユニットは、原稿台に載置された原稿に反射された光を光電変換部へ導くように反射する反射位置と原稿対向板に対向した原稿に反射されて光電変換部へ向かう光の光路を回避する回避位置とに移動自在な可動型反射部材を含み、原稿台に載置された原稿に反射された光を光電変換する第１読取モードの実行時には可動型反射部材を反射位置に配置し、原稿対向板に対向した原稿に反射された光を光電変換する第２読取モードの実行時には可動型反射部材を回避位置に配置する駆動源をさらに備えることができる。原稿台を用いた第１読取モードと原稿対向板を用いた第２読取モードとの２通りの画像読取モードについて、光路のためのスペースが兼用可能となる。このため、画像読取装置を小型化できる。
【００１１】
また、原稿排紙トレイは、原稿搬送装置の下方に配置され、原稿対向板を経由後の原稿を画像読取装置の側面に沿う方向に収容するように構成することができる。画像読取後の原稿が低い位置に収容されるので、車椅子に乗ったユーザであっても、画像読取後の原稿の収容状態を容易に確認し、容易に取り出すことができる。また、画像読取後の原稿が画像読取装置の側面に沿う方向に収容されるので、画像読取装置の占有スペースが抑制される。さらに、用紙排紙トレイとは別に原稿排紙トレイを設けたことで画像読取後の原稿と画像形成処理後の用紙との混在が防止される。
【００１２】
この発明の画像形成装置は、上述の画像読取装置のうち原稿排紙トレイを備えていないいずれかの画像読取装置、画像形成部、給紙部、及び原稿排紙トレイを備える。画像形成部は、画像読取装置において光電変換されて生成された画像データに基づいて用紙に画像形成処理を行う。画像形成部は、画像読取装置の下方において画像読取装置と画像形成部との間に画像形成処理済みの用紙を収容する用紙排紙トレイを設けるための空間を形成するように画像読取装置を支持する支持部を有する。給紙部は、画像形成部へ供給するための用紙を収容する。原稿排紙トレイは、用紙排紙トレイに対して上下に重なるように配置され、原稿対向板を経由後の原稿を収容する。
【００１３】
この構成では、画像形成装置は所謂胴内排出形状を呈し、画像読取装置の下方の空間に用紙排紙トレイが配置される。原稿排紙トレイは、画像読取装置の下方の空間内において用紙排紙トレイに対して上下に重なるように配置される。画像読取後の原稿が低い位置に収容されるので、車椅子に乗ったユーザであっても、原稿の収容状態を容易に確認し、容易に取り出すことができる。また、画像読取装置の下方の空間を有効活用することで、画像形成装置を小型化できる。さらに、用紙排紙トレイとは別に原稿排紙トレイを設けたことで画像読取後の原稿と画像形成処理後の用紙との混在が防止される。
【発明の効果】
【００１４】
この発明によれば、車椅子に乗ったユーザにとっての作業性を向上させることができる。
【図面の簡単な説明】
【００１５】
【図１】この発明の実施形態に係る画像形成装置の概略の構成を示す断面図である。
【図２】画像読取部の断面図である。
【図３】第１画像読取モードにおける画像読取処理について説明する図である。
【図４】第２画像読取モードにおける画像読取処理について説明する図である。
【図５】他の実施形態に係る画像読取部の断面図である。
【図６】さらに他の実施形態に係る画像形成装置の一部の断面図である。
【発明を実施するための形態】
【００１６】
以下に、この発明の実施形態について、図面に基づいて説明する。
【００１７】
図１に示すように、画像形成装置１０は、画像読取ユニット１００、画像形成ユニット２００、給紙ユニット３００、及び制御部４００を備え、所謂胴内排出形状を呈している。
【００１８】
画像読取ユニット１００は、画像読取装置を構成している。画像読取ユニット１００は、第１読取モードと第２読取モードとの２つの画像読取モードのうちのいずれかで動作することで、原稿の画像を読み取って画像データを生成する。画像読取ユニット１００の詳細については後述する。
【００１９】
画像形成ユニット２００は、画像形成部を構成し、画像形成本体部２１０及び支持部２２０を有している。支持部２２０は、画像読取ユニット１００の下方において画像形成本体部２１０と画像読取ユニット１００との間に、画像形成処理済みの用紙を収容する用紙排紙トレイ６７を設けるための空間２３０を形成するように、画像読取ユニット１００よりも水平方向の面積を小さくされている。支持部２２０は、画像読取ユニット１００を支持している。
【００２０】
画像形成ユニット２００は、画像読取ユニット１００の下に配置され、露光ユニット３、４個の画像形成ステーション５１，５２，５３，５４、中間転写ベルトユニット６、二次転写ローラ６６、定着装置７、用紙排紙トレイ６７、及び用紙搬送路６８，６９を備え、電子写真方式の画像形成処理を行う。
【００２１】
中間転写ベルトユニット６は、中間転写ベルト６１、駆動ローラ６２、従動ローラ６３、及びテンションローラを有している。中間転写ベルト６１は、駆動ローラ６２と従動ローラ６３との間に張架されてループ状の移動経路を形成している。
【００２２】
画像形成ユニット２００は、ブラック、並びに、カラー画像を色分解して得られる減法混色の３原色であるシアン、マゼンタ及びイエローの４色の各色相に対応した画像データを用いて、画像形成ステーション５１，５２，５３，５４において画像形成処理を行う。画像形成ステーション５１〜５４は、中間転写ベルト６１の移動経路に沿って一列に配置されている。画像形成ステーション５２〜５４は、画像形成ステーション５１と実質的に同様に構成されている。
【００２３】
ブラックの画像形成ステーション５１は、感光体ドラム１、帯電装置２、現像装置４、一次転写ローラ５、及びクリーニングユニット６４を備えている。
【００２４】
帯電装置２は、感光体ドラム１の周面を所定の電位に均一に帯電させる。
【００２５】
露光ユニット３は、図示しない半導体レーザ、ポリゴンミラー、第１ｆθレンズ及び第２ｆθレンズを備えており、ブラック、シアン、マゼンタ及びイエローの各色相の画像データによって変調されたレーザビームのそれぞれを、画像形成ステーション５１〜５４のそれぞれの感光体ドラム１に照射する。４個の感光体ドラム１のそれぞれの周面には、ブラック、シアン、マゼンタ及びイエローの各色相の画像データによる静電潜像が形成される。
【００２６】
現像装置４は、静電潜像が形成された感光体ドラム１の周面に、画像形成ステーション５１〜５４のそれぞれの色相のトナー（現像剤）を供給し、静電潜像をトナー像（現像剤像）に顕像化する。
【００２７】
クリーニングユニット６４は、現像及び画像転写の後における感光体ドラム１の周面に残留したトナーを回収する。
【００２８】
中間転写ベルト６１の外周面は、４個の感光体ドラム１に順に対向する。中間転写ベルト６１を挟んで各感光体ドラム１に対向する位置のそれぞれに、一次転写ローラ５が配置されている。中間転写ベルト６１と感光体ドラム１とが互いに対向する位置のそれぞれが、一次転写位置である。
【００２９】
一次転写ローラ５には、感光体ドラム１の周面に担持されたトナー像を中間転写ベルト６１上に転写するために、トナーの帯電極性（マイナス）と逆極性（プラス）の一次転写バイアスが定電圧制御によって印加される。これによって、感光体ドラム１のそれぞれに形成された各色相のトナー像は中間転写ベルト６１の外周面に順次重ねて転写（一次転写）され、中間転写ベルト６１の外周面にフルカラーのトナー像が形成される。
【００３０】
但し、イエロー、マゼンタ、シアン及びブラックの色相の一部のみの画像データが入力された場合は、４個の感光体ドラム１のうち、入力された画像データの色相に対応する一部のみにおいて静電潜像及びトナー像の形成が行われる。例えば、モノクロ印刷モード時には、ブラックの色相に対応した画像形成ステーション５１の感光体ドラム１のみにおいて静電潜像の形成及びトナー像の形成が行われ、中間転写ベルト６１の外周面にはブラックのトナー像のみが転写（一次転写）される。
【００３１】
画像形成ステーション５１〜５４の全てにおいて画像形成処理が行われるフルカラー画像形成時には、４個の一次転写ローラ５が中間転写ベルト６１を全ての感光体ドラム１に圧接させる。一方、画像形成ステーション５１のみにおいて画像形成処理が行われるモノクロ画像形成時には、画像形成ステーション５１のみにおいて一次転写ローラ５が中間転写ベルト６１を感光体ドラム１に圧接させる。
【００３２】
各一次転写ローラ５は、直径８〜１０ｍｍの金属（例えば、ステンレス）を素材とする軸の表面を導電性の弾性材によって被覆して構成されており、導電性の弾性材によって中間転写ベルト６１に均一に高電圧を印加する。
【００３３】
二次転写ローラ６６は、中間転写ベルト６１を挟んで駆動ローラ６２に所定のニップ圧で圧接している。二次転写ローラ６は、導電性樹脂であって硬質材料で構成されている。二次転写ローラ６６は、中間転写ベルト６１の外周面に担持されたトナー像を、ＯＨＰフィルム等のシート状の記録媒体を含む用紙に転写（二次転写）することができる。
【００３４】
一次転写位置のそれぞれにおいて中間転写ベルト６１の外周面に転写されたトナー像は、中間転写ベルト６１が回転することで、中間転写ベルト６１と二次転写ローラ６６との対向位置である二次転写位置へ搬送される。
【００３５】
給紙ユニット３００の給紙トレイ８１には、用紙が収容されている。用紙搬送路６８には、複数の搬送ローラ１２Ａ，１２Ｂが配置されている。用紙搬送路６８は、給紙トレイ８１に収容されている用紙を、二次転写位置及び定着装置７を経由して用紙排紙トレイ６７へ送るために、略鉛直方向に延びている。用紙排紙トレイ６７は、画像読取部２０と画像形成本体部２１０との間であって支持部２２０の側方の空間２３０内に配置されている。
【００３６】
用紙搬送路６９には、複数の搬送ローラ１２Ｃ，１２Ｄが配置されている。用紙搬送路６９は、用紙搬送方向において、定着装置７の下流側から二次転写位置の上流側まで構成されている。用紙搬送路６９には、定着装置７を通過した後で用紙排紙トレイ６７へ排出される用紙が、それまでの後端を前にして搬送される。これによって、用紙は表裏を反転した状態で、二次転写位置へ再送される。
【００３７】
給紙ユニット３００は、画像形成ユニット２００の下に配置され、給紙カセット８１の他に、手差しトレイ８２を備えている。給紙カセット８１及び手差しトレイ８２のそれぞれには、用紙が収容される。
【００３８】
給紙ユニット３００は、給紙カセット８１又は手差しトレイ８２の何れかから１枚ずつ用紙を給紙する。給紙カセット８１に収容された用紙は、ピックアップローラ１１Ａによって給紙され、用紙搬送路６８を経由して二次転写位置へ搬送される。手差しトレイ８２に収容された用紙は、ピックアップローラ１１Ｂによって給紙され、用紙搬送路６８を経由して二次転写位置へ搬送される。
【００３９】
用紙搬送方向において二次転写位置の上流側に、レジストローラ１３が配置されている。給紙カセット８１又は手差しトレイ８２から給紙された用紙は、レジストローラ１３が停止した状態で先端をレジストローラ１３に突き当てられる。レジストローラ１３の回転軸は、用紙の搬送方向に直交する方向に配置されている。用紙の先端が、停止した状態のレジストローラ１３に突き当てられることで、用紙が斜行している場合は斜行が補正される。
【００４０】
レジストローラ１３は、用紙の先端を、中間転写ベルト６１の外周面に形成されたトナー像の先端と合わせるタイミングで回転を開始し、二次転写位置へ用紙を供給する。
【００４１】
給紙ユニット３００から給紙された用紙が二次転写位置を通過する際に、駆動ローラ６２に、トナーの帯電極性（マイナス）と同極性（マイナス）の高電圧の転写電圧が印加される。これによって、中間転写ベルト６１の外周面から用紙に、トナー像が二次転写される。
【００４２】
トナー像が用紙に転写された後の中間転写ベルト６１上に残留した現像剤は、中間転写ベルト用クリーニング装置６５によって回収される。
【００４３】
定着装置７は、用紙搬送路６８に沿って配置されている。定着装置７は、加熱ローラ７１、及び加圧ローラ７２を有している。トナー像が転写された用紙は、二次転写位置から用紙搬送路６８を上向きに搬送されて定着装置７へ導かれる。定着装置７は、加熱ローラ７１と加圧ローラ７２との間で用紙を搬送しつつ加熱及び加圧することで、トナー像を用紙に堅牢に定着させる。トナー像が定着した用紙は、トナー像が定着した面を下にして用紙排紙トレイ６７上へ排出される。
【００４４】
制御部４００は、画像形成装置１０を統括的に制御している。
【００４５】
図１及び図２に示すように、画像読取ユニット１００は、画像形成装置１０の上部に配置され、画像読取部２０、及び自動原稿搬送装置（ＡＤＦ:Automatic Document Feeder）３０を備えている。
【００４６】
画像読取部２０は、原稿台２１、第１走査ユニット２０１、第２走査ユニット２０２、結像レンズ２７、固体撮像素子（ＣＣＤ:Charge Coupled Device）２６、及び原稿対向板３１を有している。
【００４７】
原稿台２１及び原稿対向板３１は、ともに硬質ガラス板によって構成されている。原稿台２１は、画像読取部２０の上面に水平方向に配置されている。原稿対向板３１は、画像読取部２０の一方の側面の一部を構成するように鉛直方向に配置されている。原稿台２１上には、原稿台２１の上面を開閉自在に被覆するように背面側を支点に回動自在にされた押え部材２９が配置されている。
【００４８】
第１走査ユニット２０１は、第１光源２２、レフレクタ２３、及び第１ミラー２４を搭載している。第２走査ユニット２０２は、第２ミラー２５、及び第３ミラー２６を搭載している。レフレクタ２３は、第１光源２２から発せられた光を、第１光源２２とレフレクタ２３との間の第１画像読取位置９１に集約する。第１ミラー２４、第２ミラー２５、及び第３ミラー２６のそれぞれは、反射部材として機能する。第１ミラー２４、第２ミラー２５、第３ミラー２６、及び結像レンズ２７は、光学系ユニットを構成する。
【００４９】
図１に示すように、ＡＤＦ３０は、画像読取部２０の原稿対向板３１が配置された方の側部に配置されている。ＡＤＦ３０は、原稿積載トレイ３２、呼込みローラ３３、捌きローラ３４、原稿搬送路３５、読取前ローラ３７、及び読取後ローラ３８を備えている。
【００５０】
原稿積載トレイ３２は、画像読取前の原稿９９を、画像読取ユニット１００の斜め下方から視認可能なように水平方向に対して傾斜した状態に原稿を収容する。原稿積載トレイ３２が画像読取ユニット１００の側部に配置されているので、車椅子に乗ったユーザであっても手が届きやすく、ユーザは原稿積載トレイ３２に原稿９９を容易に載置できる。また、原稿９９が原稿積載トレイ３２に、画像読取ユニット１００の斜め下方から視認可能なように水平方向に対して傾斜した状態に収容されるので、車椅子に乗ったユーザ即ち低い位置にいるユーザであっても、原稿９９の載置状態を画像読取ユニット１００の斜め下方から容易に確認できる。このため、車椅子に乗ったユーザは、原稿対向板３１を用いる第２画像読取モードを使用することで、作業性を向上できる。
【００５１】
原稿積載トレイ３２は、原稿を立った状態で収容することが好ましい。原稿積載トレイ３２は、原稿を水平方向に対して上方に４５度以上傾斜した状態で収容することが好ましい。
【００５２】
呼込みローラ３３及び捌きローラ３４は、原稿積載トレイ３２に収容された原稿を、１枚ずつ原稿搬送路３５へ給紙する。原稿搬送路３５は、原稿積載トレイ３２から、原稿対向板３１に対向する第２画像読取位置３６を経由して、原稿排紙トレイ３９へ至るように構成されている。
【００５３】
原稿排紙トレイ３９は、画像読取部２０と画像形成本体部２１０との間の空間２３０内において用紙排紙トレイ６７の下に重なるように配置され、原稿対向板３１を経由後の原稿を収容する。用紙排紙トレイ６７及び原稿排紙トレイ３９は、ともに水平方向に配置され、前方に開放している。このため、ユーザは、前方から画像形成処理後の用紙を用紙排紙トレイ６７から取り出すことができ、前方から画像読取処理後の原稿を原稿排紙トレイ３９から取り出すことができる。なお、原稿排紙トレイ３９を用紙排紙トレイ６７の上に重なるように配置することもできる。
【００５４】
画像読取処理後の原稿が低い位置に収容されるので、車椅子に乗ったユーザであっても、原稿の収容状態を容易に確認し、容易に取り出すことができる。また、画像読取部２０の下方の空間２３０を有効活用することで、画像形成装置１０を小型化できる。さらに、用紙排紙トレイ６７とは別に原稿排紙トレイ３９を設けたことで画像読取処理後の原稿と画像形成処理後の用紙との混在を防止できる。
【００５５】
画像読取ユニット１００は、原稿台３１に載置された原稿に反射された光を光電変換して画像データを生成する第１読取モード、又は、原稿対向板３１に対向した原稿に反射された光を光電変換して画像データを生成する第２読取モードのいずれかで画像読取処理を行う。
【００５６】
まず、第１読取モードにおける画像読取処理について説明する。
【００５７】
前面側が上方に移動するように押え部材２９を回動させて原稿台２１の上面を露出させることによって、手動操作によって原稿台２１に原稿を載置することができる。
【００５８】
第１走査ユニット２０１及び第２走査ユニット２０２は、原稿台２１の下方において、原稿台２１に沿って副走査方向に移動自在にされている。第２走査ユニット２０２の移動速度は、第１走査ユニット２０１の移動速度の２分の１にされている。
【００５９】
図３に示すように、原稿台２１に載置された原稿の画像を読み取る際に、第１走査ユニット２０１及び第２走査ユニット２０２は、原稿台２１の下方を副走査方向に移動する。第１光源２２は、原稿台２１上に載置された原稿の画像面に、原稿台２１を通して光を照射する。原稿には、第１光源２２から発せられた直射光とレフレクタ２３による反射光との両方が照射される。第１画像読取位置９１において原稿の画像面に反射された光は、第１ミラー２４によって第２ミラー２５へ向けて反射され、さらに第２ミラー２５及び第３ミラー２６によって反射されて、結像レンズ２７を経由してＣＣＤ２８に入射する。
【００６０】
ＣＣＤ２８は、光電変換部を構成し、原稿の画像面における反射光の光量に応じた電気信号を出力する。この電気信号は、制御部４００に画像データとして入力される。このようにして、画像読取部２０は、原稿の画像を読み取って画像データを生成する。制御部４００は、必要に応じて画像データを画像形成ユニット２００へ出力する。
【００６１】
次に、第２画像読取モードにおける画像読取処理について説明する。
【００６２】
図４に示すように、原稿対向板３１の近傍に、第２光源４１及びレフレクタ４２が配置されている。第２光源４１は、原稿対向板３１に対向する第２読取位置を通過する原稿の画像面に、原稿対向板３１を通して光を照射する。レフレクタ４２は、第２光源４１から発せられた光を、第２光源４１とレフレクタ４２との間の第２画像読取位置３６に集約する。原稿には、第２光源４１から発せられた直射光とレフレクタ４２による反射光との両方が照射される。
【００６３】
第２画像読取モードの実行時には、第１走査ユニット２０１及び第２走査ユニット２０２は、所定位置に停止している。
【００６４】
この実施形態では、第３ミラー２６としてハーフミラーが用いられている。第３ミラー２６は、入射した光の半分を反射し、他の半分を透過させる。
【００６５】
第２画像読取位置３６において原稿の画像面に反射された光のうち、第３ミラー２６を透過した光は、結像レンズ２７を経由してＣＣＤ２８に入射する。ＣＣＤ２８は、入射した光を光電変換して画像データを生成し、制御部４００へ出力する。
【００６６】
画像形成装置１０では、ＣＣＤ２８及び結像レンズ２７が、第１画像読取モードにおける画像読取処理と第２画像読取モードにおける画像読取処理とで兼用されるので、画像読取ユニット１００の製造コスト及び占有スペースが抑制される。
【００６７】
さらに、第３ミラー２６としてハーフミラーを用いることで、第１画像読取モードにおける画像読取処理と第２画像読取モードにおける画像読取処理とで光路のためのスペースが兼用可能となる。このため、画像読取ユニット１００の小型化を図ることができる。
【００６８】
なお、図５に示すように、ハーフミラーで構成された第３ミラー２６に代えて、可動型反射部材を用いることができる。可動型反射部材は、原稿台２１に載置された原稿に反射され、さらに第１ミラー２４及び第２ミラー２５に反射された光をＣＣＤ２８へ向けて反射する反射位置と、原稿対向板３１に対向した原稿に反射されてＣＣＤ２８へ向かう光の光路を回避する回避位置とに移動自在である。
【００６９】
可動型反射部材の一例として、回動ミラー２６Ａを用いることができる。回動ミラー２６Ａは、ホルダ４３に支持されている。回動ミラー２６Ａは、回動軸４４を中心に、図５において破線で示す反射位置と、図５において実線で示す回避位置とに回動自在である。一例として、回動ミラー２６Ａは、反射位置では斜め方向に配置され、回避位置では水平方向に配置される。
【００７０】
画像読取部２０は、回動ミラー２６Ａを回動させる駆動源をさらに備えている。駆動源として、例えばモータ４５が用いられる。モータ４５は、第１読取モードの実行時には回動ミラー２６Ａを反射位置に配置し、第２読取モードの実行時には回動ミラー２６Ａを回避位置に配置する。モータ４５の動作は、制御部４００によって制御される。駆動源として、ソレノイドを用いることもできる。
【００７１】
一例として、ホルダ４３は回動軸４４に固定される。モータ４５が回動軸４４を回転させることで、ホルダ４３とともに回動ミラー２６Ａが回動軸４４を中心に回動する。
【００７２】
回動ミラー２６Ａを用いることで、水平配置された原稿台２１を用いた第１読取モードと鉛直配置された原稿対向板３１を用いた第２読取モードとの２通りの画像読取モードについて、光路のためのスペースが兼用可能となる。このため、画像読取部２０を小型化できる。
【００７３】
また、図６に示すように、空間２３０内において用紙排紙トレイ６７と重なるように配置された原稿排紙トレイ３９に代えて、原稿排紙トレイ３９Ａを備えることができる。
【００７４】
原稿排紙トレイ３９Ａは、ＡＤＦ３０の下方に配置されている。原稿排紙トレイ３９Ａは、原稿対向板３１を経由後の原稿を、画像読取ユニット１００の側面に沿う方向に収容する。
【００７５】
原稿排紙トレイ３９Ａによって、画像読取処理後の原稿が低い位置に収容されるので、車椅子に乗ったユーザであっても、原稿の収容状態を容易に確認し、原稿排紙トレイ３９Ａから原稿を容易に取り出すことができる。また、画像読取処理後の原稿が画像読取ユニット１００の側面に沿う方向に収容されるので、画像読取ユニット１００の占有スペースが抑制される。さらに、用紙排紙トレイ６７とは別に原稿排紙トレイ３９Ａを設けたことで画像読取処理後の原稿と画像形成処理後の用紙との混在が防止される。
【００７６】
なお、原稿対向板３１は、鉛直方向に配置されることに限定されない。原稿対向板３１を鉛直方向に対して傾斜した方向や水平方向に配置した場合であっても、原稿積載トレイ３２を、画像読取ユニット１００の斜め下方から視認可能なように水平方向に対して傾斜した状態に原稿を収容するように画像読取装置の側部に備えることができる。
【００７７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７８】
１０  画像形成装置
２０  画像読取部
２１  原稿台
２２  第１光源
２４  第１ミラー（光学系ユニット）
２５  第２ミラー（光学系ユニット）
２６  第３ミラー（光学系ユニット）
２６Ａ  回動ミラー（可動型反射部材）
２７  結像レンズ（光学系ユニット）
２８  ＣＣＤ（光電変換部）
３０  ＡＤＦ（原稿搬送装置）
３１  原稿対向板
３２  原稿積載トレイ
３９，３９Ａ  原稿排紙トレイ
４１  第２光源
４５  モータ（駆動源）
６７  用紙排紙トレイ
１００  画像読取ユニット（画像読取装置）
２００  画像形成ユニット（画像形成部）
２０１  第１走査ユニット
２０２  第２走査ユニット
２１０  画像形成本体部
２２０  支持部
３００  給紙部
４００  制御部
【図１】
2011091637.tif 000003
【図２】
2011091637.tif 000004
【図３】
2011091637.tif 000005
【図４】
2011091637.tif 000006
【図５】
2011091637.tif 000007
【図６】
2011091637.tif 000008